(57)【要約】【課題】ベッドフレーム、車いす等をかご台車に積載したままの状態で、効率よく短時間で高速乾燥を実現する、乾燥機を提供する。【解決手段】乾燥室を形成するキャビネット内に、強力な送風機と温風加熱装置により、乾燥用温風を循環させる構成とし、乾燥室内の湿気を効果的に機器の外へ排出する手段を講じることにより、被乾燥物をかご台車にのせたままキャビネット内へ持ち込めるようにすることで、被乾燥物の乾燥室への出し入れの手間を省くと共に、高速乾燥を実現して、短時間での乾燥を実現できる構成とした。また、乾燥用温風をキャビネット内へ導入する風路内に、キャビネット内を流れる循環風の方向切替え機構部を装備することにより、被乾燥物の種類や形状に応じてキャビネット内の循環風の方向を切り替えることにより、更に効率よく高速に乾燥できる構成とした。【選択図】図１
2015059665.tif 000002
【特許請求の範囲】
【請求項１】
乾燥室を形成するキャビネット内の天井部もしくは背面板上部に温風を吹き込むための吹出口と、背面板下部には乾燥室に導入された循環風を吸い込むための吸気口を設け、吸気口からの循環風が、キャビネット外部に設けた送風機と循環風加熱装置を介して前記吹出口に至る風路によって循環が行われる気密性の高い構成とした乾燥装置において、温風風路には、乾燥室の湿度調節のために温風の一部を外部に排出させるダンパー機構部を送風機吹出口近傍の風路に設けると共に、乾燥室の一部に吸気用の開口部を設ける構成とし、更に装置前方には、装置設置のフロアから装置乾燥室の底面板に至るスロープ部を設けると共に、乾燥室左右両側面板と背面板には、一部分に緩衝部材を取り付けることによって、乾燥室を構成する壁面を傷つけることなく、被乾燥物をかご台車に載置したまま、丸ごと乾燥室に導入して乾燥処理させることを可能とした乾燥装置。
【請求項２】
吸気口からの循環風が、キャビネット外部に設けた送風機と循環風加熱装置を介して前記吹出口に至る風路によって循環が行われる構成において、被乾燥物によっては、操作部の切り替えスイッチの操作により、循環風の流れ方向を選択的に逆方向にも切り替え可能とする風路切替手段を講じたことを特徴とする請求項１に示す乾燥装置。
【請求項３】
吸気口からの循環風が、キャビネット外部に設けた送風機と循環風加熱装置を介して前記吹出口に至る風路によって循環が行われる構成において、循環風の流れ方向を正逆方向に切り替え可能とする風路切替手段を講じると共に、この切替手段の動作を、制御装置内にあらかじめ設定した動作パターンに従って自動的に行わせるようにしたことを特徴とする請求項１及び請求項２に示す乾燥装置。
【発明の詳細な説明】
【技術分野】
【０００１】
この発明は、ベッドフレーム等の福祉介護器材の洗浄後に乾燥を行うための装置を提供する技術に関し、特にベッドフレームについては、洗浄、消毒、乾燥の各工程において、かご台車に載せて処理を行うことから、かご台車に載せたまま丸ごと乾燥処理を可能とする乾燥装置の構成手段に関するものである。
【背景技術】
【０００２】
老齢化社会の進行に伴い発生した療養・介護環境の改善に関するニーズによって、ベッドフレーム等の福祉介護器材を清潔に保つことの必要性は、益々拡大する傾向にあり、近年、マットレス、ベッドフレーム、車いす等の福祉介護器材を療養・介護環境の改善と感染防止のために、洗浄する作業工程が多く見られるようになってきた。
【０００３】
また、洗浄作業について、省力化と洗浄品質の向上を目的とする機械化や自動化が導入される傾向も顕著になりつつある。
【０００４】
ところが、洗浄工程の後処理としての乾燥工程では、洗浄工程の数倍から十数倍もの時間を必要とし、且つその効果にも疑問点が多く存在するため、市場からはそれらの課題の解決を迫られる状況にあった。
【０００５】
このなかでもベッドフレームについては、通常、部品管理の観点から、ベッドフレームを分解した後は、一基分を１台のかご台車にまとめて管理することが一般的である。
【０００６】
しかし、部品状態となったベッドフレームではあっても、個々にかなりの重量があり、金属製のフレームが組み合わされた複雑な形状をしており、フレームをかご台車に出し入れする際に、かご台車やフレーム相互にぶつかって変形や打痕が発生したり、取り扱い作業者が怪我をする等、取り扱い作業が難しくかなりの労力を要する状況である。
【０００７】
そこで、ベッドフレームを台車ごと洗浄工程を行うことができる、強力な洗浄機が市場に登場し、洗浄工程の大幅な改善に応えつつある状況であるが、乾燥工程については、未だ、有効な装置が存在していないため、洗浄工程が終了した後、かご台車からベッドフレームを一つ一つ取り出して手作業で付着した水分を拭き取った後、乾燥室等へ移設して、時間をかけて乾燥工程を行っているのが現状である。
【先行技術文献】
【特許文献】
【０００８】
【特許文献１】特開２００４−２１８９７７号公報
【特許文献２】特開２００５−２３７８７６号公報
【特許文献３】特開２００５−２３７５６７号公報
【特許文献４】特開２０００−１５７７９５号公報
【特許文献５】特開２０００−２２５２９８号公報
【特許文献６】特開平７−８００５１号公報
【特許文献７】特開平７−１３６３９１号公報
【特許文献８】特開平１−３２８９７号公報
【特許文献９】特開昭６３−４３６９９号公報
【発明の概要】
【発明が解決しようとする課題】
【０００９】
この発明は、従来の技術及びそれを前提としたベッドフレーム等の洗浄後の乾燥手段に対して、洗浄工程の終わったベッドフレーム等を、かご台車ごと取り扱うことができる極めて簡単な作業を行った後は、短時間で効果的な乾燥機能を得ることが可能で、従来必要であった作業者の、かご台車からのベッドフレームの取り出し、拭き上げ、乾燥室への移設といった危険でかなりの労力を必要とする作業の解消もしくは大幅削減を実現することを第一の目的とし、併せてベッドフレーム以外の被乾燥物である車いすやマットレス等の乾燥にも効果の高い汎用性を得ることを第二の目的として実施するものである。
【課題を解決するための手段】
【００１０】
上記の課題を解決するために請求項１の発明は、乾燥室を形成するキャビネット内の天井部もしくは背面板上部に温風を吹き込むための吹出口と、背面板下部には乾燥室に導入された循環風を吸い込むための吸気口を設け、吸気口からの循環風が、キャビネット外部に設けた送風機と循環風加熱装置を介して前記吹出口に至る風路によって循環が行われる気密性の高い構成とした乾燥装置において、温風風路には、乾燥室の湿度調節のために温風の一部を外部に排出させるダンパー機構部を送風機吹出口近傍の風路に設けると共に、乾燥室の一部に吸気用の開口部を設ける構成とし、更に装置前方には、装置設置のフロアから装置乾燥室の底面板に至るスロープ部を設けるとともに、乾燥室左右両側面板と背面板には、一部分に緩衝部材を取り付けることによって、乾燥室を構成する壁面を傷つけることなく、被乾燥物をかご台車に載置したまま、丸ごと乾燥室に導入して乾燥処理させることを可能とした乾燥装置についてのものである。
【００１１】
請求項２の発明は、吸気口からの循環風が、キャビネット外部に設けた送風機と循環風加熱装置を介して前記吹出口に至る風路によって循環が行われる構成において、被乾燥物によっては、操作部の切り替えスイッチの操作により、循環風の流れ方向を選択的に逆方向にも切り替え可能とする風路切替手段を講じたことを特徴とする請求項１に示す乾燥装置についてのものである。
【００１２】
請求項３の発明は、吸気口からの循環風が、キャビネット外部に設けた送風機と循環風加熱装置を介して前記吹出口に至る風路によって循環が行われる構成において、循環風の流れ方向を正逆方向に切り替え可能とする風路切替手段を講じると共に、この切替手段の動作を、制御装置内にあらかじめ設定した動作パターンに従って自動的に行わせるようにしたことを特徴とする請求項１及び請求項２に示す乾燥装置についてのものである。
【発明の効果】
【００１３】
この発明は、以上説明したような手段で実施され、以下に示すような効果を奏する。
【００１４】
（１）通常ベッドフレーム等の洗浄がなされた後は、一旦移動のために再度かご台車に積載され、乾燥室まで移動し、そこでベッドフレーム部材等を取り出して並べ、乾燥が終わると再々度かご台車に積み込む工程がとられていたが、本発明の装置を用いることによって、これらのかご台車に関する部材の出し入れの作業が省略され、大幅な労力削減がなされる。
【００１５】
これに加えて、かご台車ごとの全自動洗浄機と組み合わせれば、ベッドフレームを部位に分解して一旦かご台車に載せれば、その後は、かご台車に載せたままの状態で、洗浄と乾燥の工程を終了することも可能となる。
【００１６】
（２）本発明の装置では、燃焼排ガスを熱交換部で熱交換した乾燥した温風が乾燥庫内を強風で上方から下方へと吹き下ろしており、極めて高い乾燥能力を兼ね備えている。
【００１７】
（３）本発明の装置では、温風風路に乾燥室の湿度調節のために温風の一部を外部に排出させるダンパー機構部を送風機吹出口近傍の風路に設けると共に、乾燥室の一部に吸気用の開口部を設ける構成としたことにより、ここから乾燥室外のフレッシュ空気を乾燥室内へ補充することができ、温風排出管からの湿気を含んだ温風の排出が、極めて効果的に実現可能となる。
【００１８】
（４）本発明装置は、かご台車にアタッチメント部材を付加することで、ベッドフレームだけではなく、複数の車いすやマットレス等の他種類の福祉介護用具にも使用できるので、きわめて利便性が高い。
【００１９】
（５）本発明装置の能力を更に高める手段として、乾燥用循環風の方向を変更可能とする機構を組み込むことにより、上から下方向きの循環風と下から上方向きの循環風のどちらかを選択できるようにすれば、被乾燥物の種類によって効果的な循環風の方向を選択可能であり、更にこれを自動的に繰り返す制御手段も講じれば、更に効率的で極めて短時間での乾燥が実現可能となる。
【図面の簡単な説明】
【００２０】
【図１】この発明の実施例において断面を示す右側面図である。
【図２】この発明の実施例において断面を示す平面図である。
【図３】この発明の実施例を示す正面図である。
【図４】この発明の他の実施例の断面を示す右側面図である。
【発明を実施するための形態】
【００２１】
以下、本発明の実施の形態を図１〜図４に基づいて説明する。
【００２２】
先ず請求項１の発明を図１、図２及び図３において説明すれば、乾燥室を形成するキャビネット１の背面板２の上部には温風を吹き込むための吹出口３を開口し、背面板２の下部には吸気口４を設け、乾燥に用いる温風が吹出口３からかご台車５に積載したベッドフレーム等の被乾燥物６の表面を通過して吸気口４に至り、強力な送風機７を介して再び吹出口３に至る風路８によって温風の循環が行われる構成とし、この風路８には乾燥用温風を加熱するための温風加熱装置９と、温風に含まれた水分を外部に排出するための温風排出管１０へつながる開閉ダンパー機構部１１を設ける構成とする。
【００２３】
また乾燥工程においては、乾燥室温度所定の温度に昇温する第一の工程、乾燥室内を高温状態に維持して被乾燥物の水分を温風に吸収させる第二の工程及び湿気を十分吸収した温風を温風排出管１０へつながる開閉ダンパー機構部１１を作動させて乾燥庫内の湿気を乾燥装置１３の外へ排出する第三の工程が必要となるが、この第三の工程において、乾燥室の一部に吸気用開口部１２を設けることにより、ここから乾燥室外のフレッシュ空気を乾燥室内へ補充することができれば、温風排出管１０からの湿気を含んだ温風の排出が、極めて効果的に実現可能となる。
【００２４】
なお、実施例の図には明示していないが、前記吸気口開口部１２から温風排出管１０の間に、電気的に動作する開閉弁を設けることにより、湿気を持った温風を乾燥装置１３の外へ排出させる時だけこの開閉弁を開放し、それ以外の時間は閉止させる手段を講じれば、乾燥室の気密度が高い状態を実現できるので、乾燥室温度の昇温速度の上昇と設定温度の維持能力が確保され、前記乾燥の第一工程と第二工程の能力が向上し、結果として乾燥時間の更なる短縮が可能となる。
【００２５】
更に、キャビネット１へのかご台車５のスムーズな導入を行わしめるために、乾燥装置１３の外部前方に、床からキャビネット１の底板１４の高さに至るスロープ１５を設けると共に、キャビネット１の左右側板１６と背面板２の一部に、かご台車をキャビネット１内に持ち込む際に、かご台車５が、キャビネット１を構成する左右側板１６或いは背面板２に衝突して破損するのを避けるために、キャビネット１の左右側板１６と背面板２の一部に、柔軟な材料からなる緩衝材１７を装着する構成としたものである。
【００２６】
請求項２の発明を図１、図２、図３及び図４において説明すれば、請求項１の構成において、温風加熱装置９の出口１８とキャビネット１の吹出口３の間の温風吹出風路１９に分岐して分岐吹出風路２０を設けると共に、分岐箇所と吹出口３の間に開閉弁Ａ２１を、分岐箇所と吸気口４との間に開閉弁Ｂ２２を設け、更に送風機７の吸込口２３とキャビネット１の吸気口４の間の温風吸気風路２４に分岐して分岐吸気風路２５を設けると共に、吸気口４と分岐箇所との間に開閉弁Ｃ２６を、分岐箇所と吹出口３との間に開閉弁Ｄ２７を設ける風路切替手段の構成を付加している。
【００２７】
この付加した構成において、開閉弁Ｂ２２と開閉弁Ｄ２７を閉止した状態とし、開閉弁Ａ２１と開閉弁Ｃ２６を開放した状態にして、送風機７と温風加熱装置９を稼働させれば、温風がキャビネット１内を上から下方へ流れる。
【００２８】
次にこの付加した構成においての動作は、開閉弁Ａ２１と開閉弁Ｃ２６を閉止した状態とし、開閉弁Ｂ２２と開閉弁Ｄ２７を開放した状態にして、送風機７と温風加熱装置９を稼働させれば、この状態では温風が、キャビネット１内を下からから上方へ流れる状態を作り出すことが可能となる。
【００２９】
以上の付加した構成を目的に応じて使用すれば、被乾燥物６の種類によって操作部２８の風向切替スイッチ２９の操作により、キャビネット１内の循環風の流れを、選択して変更することが可能となることを特徴としたものである。
【００３０】
この構成を利用すれば、マットレスのように、水分がマットレスの下方に残りやすく、この部分の乾燥により多くの時間がかかる場合には、キャビネット１内を下から上方へ流れる循環風を作り出すことによって、効果的な乾燥が可能となり、大幅な乾燥時間の短縮につながる効果を得ることができる。
【００３１】
請求項３の発明では、請求項２を付加した構成において、被乾燥物６の種類によって、一方向からだけの温風では、温風の流れの陰になる部分ができて、この部分の乾燥が遅くなり乾燥時間が長くなるような場合、あらかじめ制御装置３０内に設定した動作パターンに従って、キャビネット１内の循環風の流れを自動的に切替わらせる手段をとれば、乾燥時間を大幅に短縮することが可能となる。
【符号の説明】
【００３２】
１              キャビネット
２              背面板
３              吹出口
４              吸気口
５              かご台車
６              被乾燥物
７              送風機
８              風路
９              温風加熱装置
１０            温風排出管
１１            開閉ダンパー機構部
１２，１２’    吸気用開口部
１３            乾燥装置
１４            底板
１５            スロープ
１６，１６’    左右側板
１７            緩衝材
１８            出口
１９            温風吹出風路
２０            分岐吹出風路
２１            開閉弁Ａ
２２            開閉弁Ｂ
２３            吸込口
２４            温風吸気風路
２５            分岐吸気風路
２６            開閉弁Ｃ
２７            開閉弁Ｄ
２８            操作部
２９            風向切替スイッチ
３０            制御装置
【図１】
2015059665.tif 000003
【図２】
2015059665.tif 000004
【図３】
2015059665.tif 000005
【図４】
2015059665.tif 000006